(57)【要約】【課題】操作者の録画設定ミスの減少、録画設定操作の簡略化及び記憶装置の消費の低減を図ることができる録画再生システムを提供することを目的とする。【解決手段】動画像などのデータを動画像圧縮方式の規格であるＭＰＥＧ（Moving Picture Experts Group）等の高能率符号化技術によって圧縮する録画再生制御装置１００、圧縮されたデータを記録する記録装置１０１及び複数の表示装置１０３、１０４により構成された録画再生システムであり、録画再生制御装置１００は操作者毎に記憶されている使用状況の履歴を利用して録画状態を決定する。録画操作の度に録画設定を意識せず自動で行うことができ、記憶装置の記憶領域を最適な品質で録画することができる。【選択図】  図１
2008017043.tif 000002
【特許請求の範囲】
【請求項１】
録画再生制御装置、記録装置及び表示装置とがネットワークを介して構成される録画再生システムであって、
前記録画再生制御装置は、
画像や音の第１情報の入力手段と、
前記第１情報の補足情報である第２情報の入力手段と、
入力される前記第２情報から番組情報を記憶する番組情報記憶手段と、
操作者毎に使用状況の履歴を記憶する使用履歴記憶手段と、
前記第２情報の一部を検索値として前記使用履歴記憶手段で記憶した使用履歴を検索した結果から録画状態を決定し圧縮符号化処理及びサイズ変換処理を制御する圧縮符号化率制御手段と、
入力される前記第１情報を前記圧縮符号化率制御手段の制御により圧縮符号化処理及びサイズ変換処理する圧縮符号化手段とを有することを特徴とする録画再生システム。
【請求項２】
前記録画再生制御装置は、録画設定の初期値を記憶する圧縮符号化初期値設定テーブルを有し、
前記圧縮符号化率制御手段は、前記第２情報の一部を検索値として前記使用履歴記憶手段で記憶された使用履歴を検索した結果と前記圧縮符号化初期値設定テーブルとから録画状態を決定することを特徴とする請求項１に記載の録画再生システム。
【請求項３】
前記第１情報は、動画像であり、
前記番組情報は、前記第１情報に重畳されてくる番組情報又はネットワークを介して前記録画再生制御装置がダウンロードする番組情報であることを特徴とする請求項１又は２に記載の録画再生システム。
【請求項４】
前記使用履歴記憶手段は、操作者、番組のジャンル情報、表示装置のサイズ、映像圧縮率及び音声圧縮率のうち少なくともいずれかを記録することを特徴とする請求項１〜３のいずれか１項に記載の録画再生システム。
【請求項５】
タイムシフト録画が行われている場合は、表示されている前記表示装置のサイズに見合う録画設定で録画することを特徴とする請求項１〜４のいずれか１項に記載の録画再生システム。
【請求項６】
録画予約を記憶する録画予約テーブルを有し、
前記録画予約テーブルにおいて、異なる操作者が同じ番組かつ同じ録画設定で録画する場合は、１の録画データで処理することを特徴とする請求項１〜５のいずれか１項に記載の録画再生システム。
【請求項７】
前記圧縮符号化率制御手段は、画像圧縮と音声圧縮とを分離して処理することを特徴とする請求項１〜６のいずれか１項に記載の録画再生システム。
【請求項８】
前記圧縮符号化率制御手段の検索において、操作者の使用状況の履歴が存在しない場合に前記圧縮符号化初期値設定テーブルより他の操作者の使用状況の履歴を優先して録画状態を決定することを特徴とする請求項２〜７のいずれか１項に記載の録画再生システム。
【請求項９】
画像や音の第１情報の入力手段と、
前記第１情報の補足情報である第２情報の入力手段と、
入力される前記第２情報から番組情報を記憶する番組情報記憶手段と、
操作者毎に使用状況の履歴を記憶する使用履歴記憶手段と、
前記第２情報の一部を検索値として前記使用履歴記憶手段で記憶した使用履歴を検索した結果から録画状態を決定し圧縮符号化処理及びサイズ変換処理を制御する圧縮符号化率制御手段と、
入力される前記第１情報を前記圧縮符号化率制御手段の制御により圧縮符号化処理及びサイズ変換処理する圧縮符号化手段とを有することを特徴とする録画再生制御装置。
【請求項１０】
画像や音の第１情報の入力ステップと、
前記第１情報の補足情報である第２情報の入力ステップと、
入力される前記第２情報から番組情報を記憶する番組情報記憶ステップと、
操作者毎に使用状況の履歴を記憶する使用履歴記憶ステップと、
前記第２情報の一部を検索値として前記使用履歴記憶ステップで記憶した使用履歴を検索した結果から録画状態を決定し圧縮符号化処理及びサイズ変換処理を制御する圧縮符号化率制御ステップと、
入力される前記第１情報を前記圧縮符号化率制御ステップの制御により圧縮符号化処理及びサイズ変換処理する圧縮符号化ステップとを有することを特徴とする録画再生制御装置の制御方法。
【請求項１１】
画像や音の第１情報の入力ステップと、
前記第１情報の補足情報である第２情報の入力ステップと、
入力される前記第２情報から番組情報を記憶する番組情報記憶ステップと、
操作者毎に使用状況の履歴を記憶する使用履歴記憶ステップと、
前記第２情報の一部を検索値として前記使用履歴記憶ステップで記憶した使用履歴を検索した結果から録画状態を決定し圧縮符号化処理及びサイズ変換処理を制御する圧縮符号化率制御ステップと、
入力される前記第１情報を前記圧縮符号化率制御ステップの制御により圧縮符号化処理及びサイズ変換処理する圧縮符号化ステップとをコンピュータに実行させるためのプログラム。
【発明の詳細な説明】
【技術分野】
【０００１】
本発明は、動画像などのデータを動画像圧縮方式の規格であるＭＰＥＧ（Moving Picture Experts Group）等の高能率符号化技術によって圧縮する録画再生制御装置などを構成する録画再生システムなどに関するものである。また、操作者が個々の入力される動画情報に対して、録画操作の度に録画設定を意識せず自動で行うことにより、記憶装置の記憶領域を最適な品質で録画可能にし且つデータの転送帯域も適切な帯域とする録画再生システムに関するものである。
【背景技術】
【０００２】
従来、ＭＰＥＧ等の符号化方式を採用した圧縮符号化率可変式の記録装置は、記録映像が、ユーザにとって望ましい画質になるように、また、ユーザが望むデータ量となるように、圧縮符号化率を任意に選択することが可能になっている。そして、ユーザの願望を満たす画質と、記録容量及び転送帯域とは、互いにトレードオフの関係であるため、録画番組情報のジャンルから画像圧縮率を設定することができる画像記録装置が発明されている（例えば、特許文献１参照）。
【０００３】
【特許文献１】特開２００２−４４６０４号公報
【発明の開示】
【発明が解決しようとする課題】
【０００４】
表示装置を複数所有しているユーザは録画予約する際、所有している表示装置を想定して画質等の設定を行っている。具体的には映画はHDTV(High Definition Television)を想定している場合が多く、ニュース等の報道番組はモバイル表示装置やSDTV(Standard Definition Television)を想定している。
【０００５】
現状の録画装置の録画設定機能は初期値設定をもち、前回の設定が残っている場合は前回設定値を使用する程度であり、ユーザは期待していない画質で録画してしまうといった問題を抱えている。またこのような事態を恐れて全て最高画質で撮るといったユーザも存在する。最高画質でとるとストレージの消費量が増えるだけでなく、本発明のように録画再生制御装置と表示装置がネットワークで接続されている構成では、ネットワークに不必要な負荷を与えてしまう欠点が生じてしまう。
【０００６】
また、特許文献１に開示されている例では、ジャンルと使用者から録画帯域を設定する方法である。しかしながらこの方法ではユーザの求めている設定への精度にかけていた。同じジャンルでも番組によってユーザは見る表示装置が異なるケースがある。例えば、朝のニュースはモバイルに録画して、通勤途中で見るが、夜の7時のニュースは録画してキッチンのSDTVで見るというような場合には、ユーザは再度設定しなければならないといった煩わしい問題が発生していた。他にもモバイルの場合は端末に合わせて、画像データを作成しておく必要があり、移動するときに変換をしていると時間がかかる問題が発生していた。
【０００７】
本発明は、こうした問題に対処するためになされたもので、録画設定ユーザ、番組情報（ジャンル、タイトル、時間）、再生する表示装置といった使用履歴よりユーザが録画設定をする際に推奨設定値を提示することが可能となる。したがって、ユーザの設定ミスの減少、設定操作の簡略化、ストレージの消費の低減及びネットワークのトラフィック緩和を図ることができる動画像録画再生システムを提供することを目的とする。
【課題を解決するための手段】
【０００８】
上記目的を解決するために本発明の録画再生システムは、録画再生制御装置、記録装置及び表示装置とがネットワークを介して構成される録画再生システムであって、前記録画再生制御装置は、画像や音の第１情報の入力手段と、前記第１情報の補足情報である第２情報の入力手段と、入力される前記第２情報から番組情報を記憶する番組情報記憶手段と、操作者毎に使用状況の履歴を記憶する使用履歴記憶手段と、前記第２情報の一部を検索値として前記使用履歴記憶手段で記憶した使用履歴を検索した結果から最適な録画状態を決定し圧縮符号化処理及びサイズ変換処理を制御する圧縮符号化率制御手段と、入力される前記第１情報を前記圧縮符号化率制御手段の制御により圧縮符号化処理及びサイズ変換処理する圧縮符号化手段とを有することを特徴とするものである。
【発明の効果】
【０００９】
本発明の録画再生システムによれば、テレビ等の動画像である第１情報の補足情報を、ネットワーク経由で受信する第２情報の番組情報より画像のジャンルを入手する。そして操作者がどの番組をどのような品質でどの表示装置を使用して録画及び鑑賞したかを記憶している使用履歴記憶部に対し検索を行うことで、最適な録画設定に第１情報を録画することができるという効果を有する。また、最適な録画設定により第１情報を録画しているので、常に高画質で録画されているものではなく、記録装置の記憶容量の消費を低減させることができるという効果を有する。
【発明を実施するための最良の形態】
【００１０】
（第１の実施形態）
本実施形態では、使用者が録画予約する時に最適な録画に自動設定される動作について説明する。図１に本実施形態のシステム構成を示す。図１に示す録画再生制御装置１００はアンテナ１０８によりテレビ映像を受信しネットワーク１０７を介して記録装置１０１に録画データを記録、またはネットワーク１０７を介して表示装置に映像データを送る機能を有する。録画再生制御装置１００は、ネットワーク上に電子番組情報を持つiEPG(Internet Electronic Program Guide)サーバ１０６から電子番組表データをネットワーク１０７を介して入手する。この録画再生制御装置１００には、ユーザの操作により録画予約する機能を有し本システムの中核をなす。
【００１１】
記録装置１０１は録画再生制御装置１００からネットワーク１０７を介して送られてくるデータを記録する。また録画再生制御装置１００からの指示に従い、表示装置に対してデータを送出する機能を有する。ディスプレイアダプタ１０２は、システム内に複数保有することが可能であり、記録装置１０１又は録画再生制御装置１００から送られてきたデータを受信し既存のHDTV１０３やSDTV１０４といったテレビと接続することにより表示を行う。また、モバイル端末１０５といったPC相当の表示機能を持った装置についてもネットワークと接続が可能である。
【００１２】
図２により、録画再生制御装置１００の構成を説明する。アンテナ１０８を介して、入力されるテレビ映像は、チューナー部２０１にて指定のチャネルが選択され、動画データ（第１情報）として取りこまれる。圧縮符号化部２０２では画像サイズの変換、画像データの圧縮、音情報の圧縮といった機能を持ち、指定されるサイズ及び圧縮符号化率で圧縮情報が作成される。次に、ファイルフォーマット部２０３で、所定のファイル形式にし、通信インタフェース部２０４から送出される。また、iEPGサーバ１０６からダウンロードする電子番組表は、通信インタフェース部２０４により受信され、番組情報（第２情報）２０８として録画再生制御装置１００に格納される。
【００１３】
使用履歴記録部２０７は、使用者毎にどのような番組を過去に鑑賞及び録画したかの履歴を保存している部分である。また、使用履歴記録部２０７は、録画予約だけでなく、再生したときに使用した表示装置の履歴、オンタイムでテレビ番組をみた時に使用した表示装置の記録も行う。記録内容の詳細については後述する。圧縮符号化初期値設定テーブル２０６では過去の使用履歴記録部２０７にデータがなかった場合の圧縮率を決定するためのデータテーブルを持ち、録画設定の初期値を記録している。
【００１４】
動画データの圧縮符号化率及びサイズの決定に当たっては、この番組情報２０８と使用履歴記録部２０７の情報及び圧縮符号化初期値設定テーブル２０６から圧縮符号化率とサイズが決定され、圧縮符号化率制御部２０５を起動させて処理される。圧縮符号化部２０２、及びファイルフォーマット部２０３は、圧縮符号化率制御部２０５の制御にて、最適な圧縮符号化率で圧縮データを作成し、通信インタフェース部２０４から記録装置１０１及びディスプレイアダプタ１０２やモバイル端末１０５に送出される。入力操作部２０９は圧縮符号化初期値設定テーブル２０６の設定や録画予約設定に使用される。録画再生制御装置の全般制御はシステムバス２００を介して装置制御部２１０により制御される。
【００１５】
図３により、記録装置１０１の構成を説明する。通信インタフェース部３０１はネットワーク部１０７と接続され画像データの入出力を行う。ＨＤＤ（Hard Disk Drive）３０３は画像データを記録している。制御部３０２はシステムバス３００を介して記録装置１０１の主制御を行い、録画再生制御装置１００に対するNAS(Network Attached Storage)として動作する。
【００１６】
図４により、ディスプレイアダプタ１０２の構成を説明する。通信インタフェース部４０１はネットワーク１０７と接続され画像データの入出力を行う。D４インタフェース部４０２はD４インタフェースを持った表示装置と接続する為のインタフェースである。Sインタフェース部４０３はSインタフェースを持った表示装置と接続する為のインタフェースである。本実施形態のディスプレイアダプタ１０２はD４インタフェース部とSインタフェース部を実装しているが、使用時はどちらか一方が接続される構成とし、ディスプレイアダプタ１０２にHDTV１０３とSDTV１０４の２台が接続される構成は考慮していない。
【００１７】
入出力部４０４はリモコン４０５とワイヤレスで通信しており、録画予約、ユーザ認証といった操作を行う。入出力部４０４とリモコン４０５間は赤外線通信、無線通信といった方式でよく、本質的には有線による通信でも構わない。制御部４０８はシステムバス４００を介してディスプレイアダプタ１０２の主制御を行い、録画再生制御装置１００や記録装置１０１といったシステムを構成する装置との通信を行う。
【００１８】
図８は、使用履歴記録部２０７において記録しているデータを示す図である。８００〜８１２は管理情報項目を示し、８１３〜８２０はユーザが本システムを使用した履歴を示す。８００は使用したユーザを示す。８０１はユーザが録画及び視聴したチャネルを示す。８０２はユーザが録画及び視聴した番組タイトル名を示す。８０３はユーザが録画及び視聴した番組のジャンルを示し、分類については図９により、後述する。８０４はユーザが録画及び視聴した番組の詳細情報であり、iEPGから取得した情報である。８０５はユーザが録画予約した開始時間を示す。８０６はユーザが録画予約した終了時間を示す。８０７はユーザが録画予約した映像サイズを示す。８０８はユーザが録画予約した画像品質を示し、本実施例では、高画質、標準画質、長時間としているが段階を増やして実装することも可能であり、実際の帯域レートも実装で可変である。８０９はユーザが再生及び視聴した時の表示装置のサイズを示す。８１０はユーザが表示装置に表示開始した時間を示す。８１１はユーザが表示装置に表示終了した時間を示す。８１２はユーザがＰＣ等に録画データをコピーした時間を示す。
【００１９】
代表的な履歴データを以下に説明する。録画履歴を８１３により説明する。８１３はユーザのTarouがプロ野球の日本シリーズを録画サイズ2200＊1125、画像品質を高画質で録画して、後にＨＤＴＶを使用して鑑賞した履歴である。次に鑑賞履歴として８１６により説明する。８１６はユーザのHanakoが録画を行わないで、放送時間に表示サイズ720＊540の表示装置で鑑賞した履歴である。次にモバイル端末にデータをコピーした履歴について８１９により説明する。８１９はユーザのTarouがニュースを録画サイズ720＊540、画像品質を長時間で録画して、後に640＊480の表示機能を持ったモバイル端末にデータコピーした履歴である。
【００２０】
図９は、圧縮符号化初期値設定テーブル２０６において保有しているデータを示す図である。９００は番組のジャンルを示す。９０１はジャンル９００内の分類を示す。９０２は９０１の分類コードを示す。９０３は分類コード９０２に対する録画の画サイズを示す。入力値とはチューナー部２０１で受信した画サイズをリサイズすることなく録画する事を示す。ハイビジョンで受信した映像はハイビジョン映像で録画し地上波アナログはそのままのサイズで録画するように動作する。９０４は録画する映像の圧縮を示し、高画質、標準、長時間のモードを持つ。画像品質は品質の高い順に高画質、標準、長時間となる。これらのレートは実装上変更可能となるようにする。
【００２１】
図５は、本発明の記録再生制御装置における録画予約の手順を示すフローチャートである。本操作は手順概要を示すものであり、表示画面等の詳細な説明は割愛する。Ｓ５００では操作者はまず、本装置に登録されているユーザ認証を行い、Ｓ５０１に遷移する。Ｓ５０１ではメニュー画面の操作により、iEPGデータより作成した画面から録画したい番組を選択し決定を押し、Ｓ５０２に遷移する。Ｓ５０２では装置が最適と思われる録画の設定を表示しＳ５０３に遷移する。表示の内容には画面サイズ、画像圧縮品質、音声圧縮品質、といった値が表示される。Ｓ５０３では操作者は装置が推奨する録画設定でよいか確認を行い、変更が無ければＳ５０５へ遷移し、変更箇所があればＳ５０４へ遷移する。Ｓ５０４では操作者が変更する項目について修正を行い、Ｓ５０５へ遷移する。Ｓ５０５では操作者は録画状態を決定する動作を行い終了となる。本実施形態では、録画状態の確認を行うが、これらの操作を省くことも可能である。
【００２２】
次に図５に示した操作手順におけるＳ５０１の録画番組を選択してからＳ５０２の最適な録画状態を表示するまでの装置内部の処理手順ついて図６のフローチャートにより説明する。Ｓ６００では、図５のＳ５０１によって録画番組が選択された状態であり発生と同時にＳ６０１へ遷移する。Ｓ６０１では使用履歴記録部２０７内に使用者ユーザ名且つ、番組タイトル名且つ録画履歴の条件で検索を行いＳ６０２へ遷移する。Ｓ６０２ではＳ６０１の検索がヒットしたか判定する。ヒットしていればＳ６０３へ遷移しヒットが無ければＳ６０５へ遷移する。Ｓ６０５では使用履歴記録部２０７内に使用者ユーザ名且つ、番組タイトル名且つ鑑賞履歴の条件で検索を行いＳ６０６へ遷移する。Ｓ６０６ではＳ６０５の検索がヒットしたか判定する。ヒットしていればＳ６０３へ遷移しヒットが無ければＳ６０７へ遷移する。Ｓ６０７では使用履歴記録部２０７内に使用者ユーザ名且つ、ジャンル且つ録画履歴の条件で検索を行いＳ６０８へ遷移する。Ｓ６０８ではＳ６０７の検索がヒットしたか判定する。ヒットしていればＳ６０３へ遷移しヒットが無ければＳ６０９へ遷移する。Ｓ６０９では使用履歴記録部２０７内に使用者ユーザ名且つ、ジャンル且つ鑑賞履歴の条件で検索を行いＳ６１０へ遷移する。Ｓ６１０ではＳ６０９の検索がヒットしたか判定する。ヒットしていればＳ６０３へ遷移しヒットが無ければＳ６１１へ遷移する。Ｓ６０３では検索結果から最適な録画状態を選択しＳ６０４へ遷移する。設定方法の詳細については図７により後述する。Ｓ６１１では図９の圧縮符号化初期値設定テーブルからユーザが録画予約する分類コードから、録画設定値を選択する。Ｓ６０４では選択された録画状態の表示を行い、図５に示すＳ５０３に遷移し終了する。
【００２３】
図７によりＳ６０３の詳細処理について説明する。Ｓ７００ではループ処理するための初期値としてＮに１を代入する。表示サイズをチェックするために使用するＤ１からＤｎの変数に０を代入する。Ｄ１からＤｎの使用方法として、Ｄ１に2200＊1125、Ｄ２に720＊540といったようにサイズ種別毎に割り当てられる。Ｓ７０１では検索結果から、Ｎ番目に新しい履歴データを取得する。Ｓ７０２ではＳ７０１で取得したデータに表示データがあるか判定し、存在すればＳ７０３へ遷移し、存在しなければＳ７０４へ遷移する。Ｓ７０３では表示サイズをチェックする。Ｓ７０４では録画サイズをチェックする。Ｓ７０５ではＳ７０３、Ｓ７０４でチェックされた画サイズに見合った、Ｄｎの変数に６からＮを差し引いた値を加算しＳ７０６へ遷移する。Ｓ７０６では、Ｎ＝５であるか判定し等しければＳ７０９へ遷移し、等しくなければＳ７０７へ遷移する。Ｓ７０７では、Ｎに１を加算しＳ７０８へ遷移する。Ｓ７０８では処理していない検索データがまだあるか判定する。未処理データがあればＳ７０１へ遷移し、なければＳ７０９へ遷移する。Ｓ７０９ではＤnの変数の値を比較し最大値となっている画サイズに設定しＳ７１０に遷移する。Ｓ７１０では画像の圧縮率を選択している。選択方法としては、Ｓ７００の時点での検索結果に対して更に、Ｓ７０９で選択された画サイズの条件を追加して絞込み検索を行う。抽出されたデータから圧縮率の多数決を行い決定し終了する。本実施形態では、過去の最新履歴５回分により判定を行っており、判定も最新に近いデータに重み付けをしているが、Ｓ７０５とＳ７０６の値を変更することにより容易に判定基準を変更することが可能である。
【００２４】
本実施形態によれば、高画質を要求する芸術的な動画像情報では、録画圧縮符号化率を低くし、画像サイズも操作者が使用する表示装置の画像サイズに合わせ再生時の画質品位が保持される。画質品質に拘わらない単なる動画像情報では、録画圧縮符号化率を高くして、必要以上にシステム内の通信トラフィック増加を抑え、記憶装置の記憶容量を消費しないように自動的に設定される。したがって、入力される動画情報に、操作者が求める画質品位に沿った圧縮符号化率での動画像圧縮が可能になり、効率的に記録部へ動画像を記録しながら、違和感がない動画像の画質品位を維持した録画が可能となる。
【００２５】
本実施形態によれば、録画設定機能は検索機能により実現しているので操作者のシステム使用回数が増えれば増えるほど検索のヒット率が高くなり最適な録画設定になる確立が高くなる。
【００２６】
なお、視聴中の番組を巻き戻し、巻き戻した箇所からの録画をおこなうことができる、いわゆるタイムシフト録画を行う場合に、視聴している表示装置のサイズと同じサイズでの録画設定で録画するようにしてもよい。また、異なる操作者が同じ番組且つ同じ録画条件で録画する場合は、１の録画データで処理するようにしてもよい。このように処理することでストレージの消費を抑えることができる。
【００２７】
なお、番組情報は録画再生制御装置がネットワークを介してダウンロードして取得する方法のほか、動画像データに重畳される番組情報を取得するようにしてもよい。
【００２８】
上記実施形態によれば、圧縮符号化率制御部の検索において、操作者の使用状況の履歴が存在しない場合には録画設定の初期値を使用する場合についてのみ説明した。しかしながら、録画設定の初期値より他の操作者の使用状況の履歴を優先して使用するようにしてもよい。
【００２９】
前述した本発明の実施形態における録画再生システムを構成する各手段、並びに録画再生制御装置の制御方法の各ステップは、コンピュータのＲＡＭやＲＯＭなどに記憶されたプログラムが動作することによって実現できる。このプログラム及び前記プログラムを記録したコンピュータ読み取り可能な記録媒体は本発明に含まれる。また、本発明は、例えば、装置、方法、プログラムもしくは記録媒体等としての実施形態も可能であり、一つの機器からなる装置に適用してもよい。
【００３０】
なお、本発明は、前述した実施形態の機能を実現するソフトウェアのプログラムを、システムまたは装置に直接、または遠隔から供給する。そして、そのシステムまたは装置のコンピュータが前記供給されたプログラムコードを読み出して実行することによっても達成される場合を含む。
【００３１】
したがって、本発明の機能処理をコンピュータで実現するために、前記コンピュータにインストールされるプログラムコード自体も本発明を実現するものである。つまり、本発明は、本発明の機能処理を実現するためのコンピュータプログラム自体も含まれる。その場合、プログラムの機能を有していれば、オブジェクトコード、インタプリタにより実行されるプログラム、ＯＳに供給するスクリプトデータ等の形態であってもよい。
【００３２】
プログラムを供給するための記録媒体としては、例えば、フロッピー（登録商標）ディスク、ハードディスク、光ディスク、光磁気ディスクなどがある。さらに、ＭＯ、ＣＤ−ＲＯＭ、ＣＤ−Ｒ、ＣＤ−ＲＷ、磁気テープ、不揮発性のメモリカード、ＲＯＭ、ＤＶＤ（ＤＶＤ−ＲＯＭ、ＤＶＤ−Ｒ）などもある。
【００３３】
その他、プログラムの供給方法としては、クライアントコンピュータのブラウザを用いてインターネットのホームページに接続する方法がある。そして、前記ホームページから本発明のコンピュータプログラムそのもの、もしくは圧縮され自動インストール機能を含むファイルをハードディスク等の記録媒体にダウンロードすることによっても供給できる。
【００３４】
また、本発明のプログラムを構成するプログラムコードを複数のファイルに分割し、それぞれのファイルを異なるホームページからダウンロードすることによっても実現可能である。つまり、本発明の機能処理をコンピュータで実現するためのプログラムファイルを複数のユーザに対してダウンロードさせるＷＷＷサーバも、本発明に含まれるものである。
【００３５】
また、その他の方法として、本発明のプログラムを暗号化してＣＤ−ＲＯＭ等の記録媒体に格納してユーザに配布し、所定の条件をクリアしたユーザに対し、インターネットを介してホームページから暗号化を解く鍵情報をダウンロードさせる。そして、その鍵情報を使用することにより暗号化されたプログラムを実行してコンピュータにインストールさせて実現することも可能である。
【００３６】
また、コンピュータが、読み出したプログラムを実行することによって、前述した実施形態の機能が実現される。さらに、そのプログラムの指示に基づき、コンピュータ上で稼動しているＯＳなどが、実際の処理の一部または全部を行い、その処理によっても前述した実施形態の機能が実現され得る。
【００３７】
さらに、その他の方法として、まず記録媒体から読み出されたプログラムが、コンピュータに挿入された機能拡張ボードやコンピュータに接続された機能拡張ユニットに備わるメモリに書き込まれる。そして、そのプログラムの指示に基づき、その機能拡張ボードや機能拡張ユニットに備わるＣＰＵなどが実際の処理の一部または全部を行い、その処理によっても前述した実施形態の機能が実現される。
【図面の簡単な説明】
【００３８】
【図１】本発明に係る基本システムの構成図である。
【図２】本発明に係る録画再生制御装置の構成図である。
【図３】本発明に係る記録装置の構成図である。
【図４】本発明に係るディスプレイアダプタの構成図である。
【図５】本発明に係る録画予約操作フローチャートである。
【図６】本発明に係る録画予約処理フローチャートである。
【図７】本発明に係る録画予約処理詳細フローチャートである。
【図８】本発明に係る使用履歴表を示す図である。
【図９】本発明に係る圧縮符号化初期値設定テーブルを示す図である。
【符号の説明】
【００３９】
１００  録画再生制御装置
１０１  記録装置
１０２  ディスプレイアダプタ
１０３  HDTV
１０４  SDTV
１０５  モバイル端末
１０６  iEPGサーバ
１０７  Network
１０８  アンテナ
２００  システムバス
２０１  チューナー部
２０２  圧縮符号化部
２０３  ファイルフォーマット部
２０４  通信インタフェース
２０５  圧縮符号化率制御部
２０６  圧縮符号化初期値設定テーブル
２０７  使用履歴記録部
２０８  電子番組情報
２０９  入力操作部
２１０  装置制御部
３００  システムバス
３０１  通信インタフェース
３０２  制御部
３０３  HDD
４００  システムバス
４０１  通信インタフェース
４０２  Ｄ４インタフェース部
４０３  Ｓインタフェース部
４０４  入出力部
４０５  リモコン
【図１】
2008017043.tif 000003
【図２】
2008017043.tif 000004
【図３】
2008017043.tif 000005
【図４】
2008017043.tif 000006
【図５】
2008017043.tif 000007
【図６】
2008017043.tif 000008
【図７】
2008017043.tif 000009
【図８】
2008017043.tif 000010
【図９】
2008017043.tif 000011